(57)【特許請求の範囲】
【請求項１】
楽曲演奏度数記録手段と、楽曲標準偏差記録手段と、換算標準偏差記録手段と、相対標準偏差倍率記録手段と、ＢＧＭ楽曲抽出手段と、ＢＧＭ演奏手段を要し、カラオケ装置を利用したシステムであって、
（ア）楽曲演奏度数記録手段とは、カラオケ装置で演奏される楽曲毎につき、一年間を所定数で区分した各区間の演奏度数を、演奏度数管理テーブルに記録するものであり、
（イ）楽曲標準偏差記録手段とは、前記演奏度数管理テーブルで記録された楽曲毎の年間総度数および、そこから求められる区間平均度数から所定区間単位の標準偏差を求め、楽曲標準偏差管理テーブルに記録するものであり、
（ウ）換算標準偏差記録手段とは、前記楽曲毎の標準偏差と年間総度数から、一度数当りの換算標準偏差を求め、換算標準偏差管理テーブルに記録するものであり、
（エ）相対標準偏差倍率記録手段とは、前記楽曲毎の各区間の演奏度数および前記区間平均度数と、標準偏差から、区間単位の相対標準偏差倍率を求め、相対標準偏差倍率管理テーブルに記録するものであり、
（オ）ＢＧＭ楽曲抽出手段とは、前記一度数当りの換算標準偏差と、前記区間単位の相対標準偏差倍率から、それぞれ所定基準を同時に満たした楽曲を抽出し、ＢＧＭ楽曲リストを作成するものであり、
（カ）ＢＧＭ演奏手段とは、カレンダー機能により現時点の区間を判別し、前記ＢＧＭ楽曲リストに基づき、当該区間に対応するＢＧＭを適宜の指示で演奏するものである、
ことを特徴とするカラオケＢＧＭ演奏システム。
【請求項２】
前記カラオケ装置とネットワーク接続されたカラオケホスト装置を利用し、当該ホスト装置内に、楽曲演奏度数記録手段と、楽曲標準偏差記録手段と、換算標準偏差記録手段と、相対標準偏差倍率記録手段と、ＢＧＭ楽曲抽出手段が設けられていることを特徴とする請求項１記載のカラオケＢＧＭ演奏システム。
【発明の詳細な説明】
【技術分野】
【０００１】
本発明は、カラオケ装置にリクエストされた楽曲の予約登録のない状態など、即ち、カラオケ演奏を休止している状態において、このカラオケ装置によりＢＧＭ（Back Ground Music）演奏を行うにあたり、演奏する楽曲を季節感、あるいは特定の時期に相応しいものを自動選曲するようにしたカラオケＢＧＭ演奏システムに関する。
【背景技術】
【０００２】
一般に飲食店に設置されているカラオケ装置では、リクエストされた楽曲を予約登録して演奏を開始し、カラオケ歌唱者が歌唱を開始するようにしている。この予約登録は常に連続していることはなく、予約登録のない場合には店舗内の雰囲気を維持するため、カラオケ装置内の任意に設定したカラオケ楽曲を選定してＢＧＭ演奏が可能となるようにしたカラオケ装置を本願出願人が提案している（例えば、特許文献１）。
【０００３】
このカラオケ装置では、カラオケ装置の記憶部に作成されたＢＧＭ選曲リストが記憶されており、このＢＧＭ選曲リストはリモコン送信機や操作パネルなどからの所定の操作入力に応答して起動するＢＧＭ設定モードにおいて編集が可能となるようにしている。そして、メインコンピュータがリクエスト曲の予約登録がないと判断したとき、データ記憶部からカラオケ楽曲データを取得し、カラオケ楽曲をＢＧＭ楽曲として音響出力するようにしている。
【特許文献１】特開２０００−１８１４６９号公報
【発明の開示】
【発明が解決しようとする課題】
【０００４】
このようなカラオケ装置によるＢＧＭ演奏における選曲は、演歌、ポップス、ベスト５０などの楽曲カテゴリーから選曲者の任意の判断によりなされ、統計的判断による有意的な選曲はできなかった。即ち、過去（例えば、１年間）における特定の楽曲が、ある所定区間が他の区間より多くリクエストされ演奏されている場合、その楽曲が季節感を備えていると自動的に判断することは難しく、例えば、楽曲毎に最大の演奏度数を示す月を季節感のある月間として定義するのは必ずしも適切とは言えない。
【０００５】
ところで、春夏秋冬、あるいはクリスマスシーズン、卒業シーズンなどの年間の特徴的時期に相応しい楽曲を自動的に選択してＢＧＭ演奏できれば、例えば、何らの手間もなく店舗内を季節感の向上した雰囲気とすることができ、来店者に違和感を生じさせることがない。また、人為的に季節感のあるＢＧＭ楽曲を選択する場合では、その選択は往々にして恣意的になされ、これにより店舗内の雰囲気を低下することがあった。
【０００６】
本発明は、かかる課題を解決するためになされたもので、ＢＧＭ楽曲の選択にあたり恣意性を排除して統計的判断により年間の特徴的時期に相応しい季節感のあるＢＧＭ楽曲が自動的に選択されるようにしたもので、カラオケ装置を運用する店舗などの雰囲気を向上することを目的とするものである。
【課題を解決するための手段】
【０００７】
そこで本発明は、カラオケ装置で演奏された楽曲毎の年間総度数と予め設定された所定区間の演奏度数から当該区間単位の標準偏差を算出し、これに基づき各楽曲の一度数当たりの換算標準偏差をさらに算出することで季節感のある楽曲を判別して抽出し、また、抽出された当該楽曲毎の各区間の演奏度数および前記区間平均度数と標準偏差から区間単位の相対標準偏差倍率を求めることで、何れの区間が他の区間より演奏度数が突出しているかを判別し、カレンダー機能に基づく所定期間において、その期間に対応する区間が抽出された楽曲が掲載されたＢＧＭ楽曲リストを作成することで、上記課題を解決するようにした。
【０００８】
即ち、本発明の請求項１記載のカラオケＢＧＭ演奏システムは、楽曲演奏度数記録手段と、楽曲標準偏差記録手段と、換算標準偏差記録手段と、相対標準偏差倍率記録手段と、ＢＧＭ楽曲抽出手段と、ＢＧＭ演奏手段を要し、カラオケ装置を利用したシステムであって、楽曲演奏度数記録手段とは、カラオケ装置で演奏された楽曲毎につき、一年間を所定数で区分した各期間の演奏度数を、演奏度数管理テーブルに記録するものであり、楽曲標準偏差記録手段とは、前記演奏度数管理テーブルで記録された楽曲毎の年間総度数および、そこから求められる区間平均度数から所定区間単位の標準偏差を求め、楽曲標準偏差管理テーブルに記録するものであり、換算標準偏差記録手段とは、前記楽曲毎の標準偏差と年間総度数から、一度数当りの換算標準偏差を求め、換算標準偏差管理テーブルに記録するものであり、相対標準偏差倍率記録手段とは、前記楽曲毎の各区間の演奏度数および前記区間平均度数と、標準偏差から、区間単位の相対標準偏差倍率を求め、相対標準偏差倍率管理テーブルに記録するものであり、ＢＧＭ楽曲抽出手段とは、前記一度数当りの換算標準偏差と、前記区間単位の相対標準偏差倍率から、それぞれ所定基準を同時に満たした楽曲を抽出し、ＢＧＭ楽曲リストを作成するものであり、ＢＧＭ演奏手段とは、カレンダー機能により現時点の区間を判別し、前記ＢＧＭ楽曲リストに基づき、当該区間に対応するＢＧＭを適宜の指示で演奏するものであることを特徴とする。
【０００９】
請求項２記載の発明では、上記請求項１記載の発明において、カラオケ装置とネットワーク接続されたカラオケホスト装置を利用し、当該ホスト装置内に、楽曲演奏度数記録手段と、楽曲標準偏差記録手段と、換算標準偏差記録手段と、相対標準偏差倍率記録手段が設けられているようにする。
【発明の効果】
【００１０】
本発明によれば、年間の特徴的時期に相応しい季節感のあるＢＧＭ楽曲が統計処理の結果に基づいて抽出され、ＢＧＭ演奏されるようにしたので、ＢＧＭ楽曲の選曲の恣意性を排することができ、常に好適なＢＧＭ楽曲の演奏が可能となる。
【発明を実施するための最良の形態】
【００１１】
図１は、本発明を実現するためのカラオケ装置の基本構成を示すブロック図であり、同図において、システムバスＢＵＳに接続されたＣＰＵ（Central Processing Unit）１０がシステム全体の制御を司る。ＲＯＭ１１には制御プログラムなどが格納され、ＲＡＭ１２には制御処理の内容などの一時記憶が可能となるようにしている。コマンダ受信部１３は、コマンダ１４から送られてくる赤外線コード信号を受信し、コマンドデータに復元してシステムバスＢＵＳへ転送する。
【００１２】
操作部１５は、装置本体に設けられた各種スイッチ機能であり、予約登録、キーコントロール、歌唱プログラムなどのカラオケ装置特有のマニュアル設定が可能となるようにしている。表示制御部１６は、ＣＰＵ１０により処理されたメッセージなどをモニター２５により表示するための表示制御を行う。なお、本操作部１５は、通常、上記コマンダ１４内にも設置され、装置本体と同様なマニュアル設定が可能となっている。
【００１３】
ＤＶＤプレーヤ２６は、光ディスクをドライブし、記録されている背景映像を表示制御部１７へ出力するもので、ＣＰＵ１０により制御される。通信制御部１８は情報通信ネットワークを介して楽曲配信センター（センターサーバ）と通信し、楽曲の配信を受け、あるいはカラオケ歌唱者の個人データや楽曲の固有データなどの送受信を司る。ＨＤＤ（Hard Disk Driver）１９は、楽曲配信センターから受信した楽曲データやカラオケ以外の機能を実行させるデータであるＩＣＭデータ、そして、本発明に必要な各種管理テーブルなどを記憶する。
【００１４】
文字パターン展開部２０は、指定された楽曲の歌詞データを入力し、表示制御部１７へ出力することにより背景映像とともに楽曲の進行を行い、歌詞の色替えをさせながら表示することが可能となるようにし、モニター２５へこれを表示する。音源２１は、ＭＩＤＩ（Musical Instruments Digital Interface）信号などで受信した楽曲データから楽音信号を形成し、音声データ処理部２２は、楽曲データに含まれる音声データに基づいてバックコーラスなどの音声信号を再生する。
【００１５】
前記音源２１が形成した楽音信号および音声データ処理部２２が再生した音声信号は、ＤＳＰ（Digital Sound Processor）２３へ入力し、これらの楽音信号および音声信号に対してリバーブ、エコーなどの効果を付与する。効果が付与された楽音信号、音声信号はＤ／Ａ変換器２４でカラオケ楽曲信号となり、増幅器２７で増幅されて音響装置２８でカラオケ演奏が可能となる。なお、カラオケマイク１から出力された歌唱者の音声信号は前記増幅器２７で増幅され、音声出力される。
【００１６】
このように構成されているカラオケ装置では、統計管理の必要から楽曲の演奏度数を記録するようにしている。この場合の統計データは、カラオケ装置に楽曲毎の演奏度数をＨＤＤ１９の演奏度数管理テーブル１２ａに蓄積して記憶し、例えば、月間単位でセンターサーバへ転送したり、カラオケ装置がリクエストされた楽曲の予約登録を受ける度に１カウントを転送するようにしている。
【００１７】
このようにして収集された統計データの一例を図２に示す。同図は、複数の楽曲の演奏度数を区間（月間）毎に集計し、期間（年間）単位で一覧表示した統計表である。同図では、特定の楽曲００１〜０１０をＡ欄に例示しているが、実際には数十万曲の統計データとなる。この統計表では各楽曲とも３月から翌年２月までの集計結果が示されており、各楽曲のＢ欄の行の上段に月間演奏度数（Ｘｉ：ｉ＝１〜１２）が示され、この例では、楽曲００１の３月の月間演奏度数（Ｘ３）は１９００度であり、翌年２月の月間演奏度数（Ｘ２）が１８３度であることを示している。なお、本実施例では、一年を各月毎に１２区分して区間を設定しているが、本発明はこれに限らず、例えば、３ヶ月単位で区間を設定し、春夏秋冬に四つに区分するなど、区間の設定は任意に設定できるものである。
【００１８】
図２の統計表に示された３月から翌年２月までの各楽曲の月間の演奏度数を図表により示すと図３乃至図１２のようになる。同図において、例えば、図３の楽曲００１は３月と４月に多くの演奏があり、図１２の楽曲０１０は年間を通じて平均していることが判る。このように統計データを図表により可視化することにより特定の楽曲の演奏度数の多い月間を抽出することは一応可能である。ところが、楽曲毎に演奏度数の多い月間、例えば、最大の演奏度数を示す月間を単純に季節感のある月間として定義するのは必ずしも適切でない。そこで、本発明では、以下に述べる手順により統計データ上のすべての楽曲について演奏度数の年間の特徴的時期の有無を判断できるようにした。
【００１９】
以下にその処理の手順を示すが、実際にはカラオケ装置またはセンターサーバにおけるコンピュータによるデータ処理となるので、その処理の流れを示すフローチャートを図１３に示し、データ処理の各段階で採用する処理演算式を図１４に示す。また、処理の流れに従って生成されるデータは、本実施例では、カラオケ装置の前記ＲＡＭ１２に構成された図１５に示す管理テーブルに蓄積される。
【００２０】
まず、図１３に示す処理の流れにおけるステップＳａ１において各楽曲毎の月間演奏度数（Ｘｉ）の収集がなされる。つぎに、ステップＳａ２へ移行し、３月から翌年２月までの演奏度数の総計を図１４に示す式１に基づく処理を行い、求めた年間総度数（Ｘｇ）を図２の統計表のＣ欄に示す。この例では、楽曲００１の年間総度数（Ｘｇ）は６２９５度であり、楽曲０１０の年間総度数（Ｘｇ）は１１５２度であることを示している。統計表のＤ欄には式２に基づく処理により算出された月間平均度数（Ｘａｖ）が示され、この例では、楽曲００１の月間平均度数（Ｘａｖ）は５２４．６度であり、楽曲０１０の月間平均度数（Ｘａｖ）は９６．０度であることを示している。
【００２１】
このようにして年間総度数（Ｘｇ）と月間平均度数（Ｘａｖ）が求められたことから、演奏度数の偏りの程度を示す標準偏差を導くことができる。図１４の式３は標準偏差を求める定義式に相当し、この式３に基づく処理により算出された値を図２の統計表のＥ欄に示す。この例では、楽曲１の楽曲標準偏差（σ）は６４７．２であり、楽曲１０の楽曲標準偏差（σ）は３．９であることを示している。このようにして求められた楽曲標準偏差（σ）はＨＤＤ１９の楽曲標準偏差管理テーブル１２ｂに蓄積される。
【００２２】
上記のようにして算出された楽曲標準偏差（σ）はデータのバラツキの程度を示すものであるから、この数値から有意の相対的かつ客観的な判断を行うことができない。例えば、楽曲００５は、年間総度数（Ｘｇ）が７９５２度で楽曲標準偏差（σ）が５００．７であり、年間総度数（Ｘｇ）が６２９５度の楽曲００１の楽曲標準偏差（σ）より低い値となっているため、一義的な判断が困難である。即ち、各楽曲の楽曲標準偏差（σ）はその年間総度数（Ｘｇ）に大きく値が左右される（例えば、同じ演奏傾向であっても、楽曲毎の年間総度数が１０倍になれば、その楽曲標準偏差も１０倍となる）ので、その大小のみでは特徴的期間の有無をこの時点では判断することができない。
【００２３】
そこで本発明では、ステップＳａ５において式４に基づく処理を行い、演奏の１度数当たりの標準偏差、即ち、換算標準偏差（α）を算出するようにした。この換算標準偏差（α）は、楽曲標準偏差（σ）を年間総度数（Ｘｇ）で除した値であり、その数値を図２の統計表のＦ欄に示す。そして、求められた換算標準偏差（α）はＨＤＤ１９の換算標準偏差管理テーブル１２ｃに蓄積される。
【００２４】
このようにして求めた換算標準偏差（α）を図表にしたものを図１６に示す。同図から明らかなように、楽曲００９および楽曲０１０の換算標準偏差（α）が極端に低く、このことから各月の演奏度数が図１１、図１２に示すように平均化していると判断することができる。即ち、この換算標準偏差（α）の値が大きい場合、当該楽曲が年間の特定の時期に集中してリクエストされる特徴的期間を有することを示すことになる。
【００２５】
したがって、この換算標準偏差（α）に閾値を設定し、換算標準偏差（α）がこの閾値以上となった楽曲をステップＳａ６で抽出するようにしている。ステップＳａ６に示す例では、閾値を０．０５に設定したもので、この閾値０．０５を超える楽曲００１〜楽曲００８が抽出され、楽曲００９および楽曲０１０は特徴的期間（季節感）が存在しないものと判断され、ステップＳａ７において除外処理される。したがって、例えば、閾値を０．０５ではなく０．０８と変更した場合には、抽出される楽曲は楽曲００１〜楽曲００４および楽曲００８ということになる。即ち、閾値の大小によって抽出される楽曲の数が定まり、閾値を大きくするほど抽出される楽曲の数は少なくなる。
【００２６】
以上のようにしてステップＳａ６において演奏度数の特徴的期間を備える楽曲が抽出されると、ステップ８において式５に基づく処理が実行され、特徴的期間が何月に発生するかが判断される。即ち、式５の演算は、月間演奏度数（Ｘｉ）から月間平均度数（Ｘａｖ）を減じ、その結果を楽曲標準偏差（σ）で除して求められるもので、相対標準偏差倍率（β）と呼ぶ。各楽曲００１〜０１０の相対標準偏差倍率（β）を図２の統計表のＢ欄の各行の下段に示す。そして、求められた相対標準偏差倍率（β）はＨＤＤ１９の相対標準偏差倍率管理テーブル１２ｄに蓄積される。
【００２７】
このようにして相対標準偏差倍率（β）が得られると、例えば、楽曲００１は図１７のように、楽曲０１０は図１８のように図表化することが可能となり、楽曲００１は３月、４月にリクエストが集中していることが機械的に判別できる。なお、因みに、上記換算標準偏差（α）の閾値を０．００１とし、楽曲０１０が除外処理されなかった場合でも、楽曲０１０は年間を通じて演奏度数が平均化しており、特徴的期間がないと判断できる。
【００２８】
そこで、本発明では、この相対標準偏差倍率（β）に閾値を設定し、相対標準偏差倍率（β）がこの閾値以上となる月間をステップＳａ９で抽出し、何れの月間が他の月間より演奏度数が突出しているかを判別できるようにしている。ステップＳａ９で示す例では、閾値を１．５に設定したもので、この閾値１．５を超える月間を当該楽曲の特徴的期間と判定するようにしている。したがって、この閾値を大きく設定した場合は、抽出されなくなる楽曲もあり、この楽曲はステップＳａ１０で除外処理される。一方抽出された楽曲は、ステップＳａ１１においてリスト化され、ＨＤＤ１９のＢＧＭ楽曲管理テーブル１２ｅに蓄積され、ＢＧＭ楽曲の演奏が可能となる。そして、このようにして作成されたＢＧＭ楽曲リストは、カレンダー機能による時間の経過に従って順次新たなＢＧＭ楽曲を自動的に選出して演奏されるようにすることができることから、年間のどのような時点においてもスイッチ、コマンダの操作あるいはカラオケ演奏が休止している状態を自動的に判断して好適なＢＧＭ楽曲の演奏が可能となる。
【００２９】
以上説明したように、何ら人為的処理を行うことなくコンピュータによるデータを処理により、年間の特徴的期間に頻度高くリクエストされている楽曲を抽出することができ、季節に適応した好適なＢＧＭ楽曲の演奏が可能となり、カラオケ装置の機能性を向上するものとなる。
【図面の簡単な説明】
【００３０】
【図１】本発明を実施するカラオケ装置のブロック図である。
【図２】本発明で利用する統計データの例を示す統計図である。
【図３】図２の統計データの一部を図表化した例を示す図である。
【図４】図２の統計データの一部を図表化した例を示す図である。
【図５】図２の統計データの一部を図表化した例を示す図である。
【図６】図２の統計データの一部を図表化した例を示す図である。
【図７】図２の統計データの一部を図表化した例を示す図である。
【図８】図２の統計データの一部を図表化した例を示す図である。
【図９】図２の統計データの一部を図表化した例を示す図である。
【図１０】図２の統計データの一部を図表化した例を示す図である。
【図１１】図２の統計データの一部を図表化した例を示す図である。
【図１２】図２の統計データの一部を図表化した例を示す図である。
【図１３】本発明の処理の流れを示すフローチャート図である。
【図１４】本発明のデータ処理における算式を示す図である。
【図１５】本発明により処理されたデータを蓄積する管理テーブルを示す図である。
【図１６】本発明により求められる換算標準偏差を示す図表である。
【図１７】本発明により求められる相対標準偏差倍率の例を示す図表である。
【図１８】本発明により求められる相対標準偏差倍率の例を示す図表である。
【符号の説明】
【００３１】
１・・・・・・カラオケマイク
１０・・・・・ＣＰＵ
１１・・・・・ＲＯＭ
１２・・・・・ＲＡＭ１２
１３・・・・・コマンダ受信部
１４・・・・・コマンダ
１５・・・・・操作部
１６・・・・・表示制御部
１７・・・・・表示制御部
１８・・・・・通信制御部
１９・・・・・ＨＤＤ
２０・・・・・文字パターン展開部
２１・・・・・音源
２２・・・・・音声データ処理部
２３・・・・・ＤＳＰ
２４・・・・・Ｄ／Ａ変換器
２５・・・・・モニター
２６・・・・・ＤＶＤプレーヤ
２７・・・・・増幅器
２８・・・・・音響装置
２９・・・・・入力処理部
３０・・・・・データ処理部
【図１】
0004486051.tif 000002
【図２】
0004486051.tif 000003
【図３】
0004486051.tif 000004
【図４】
0004486051.tif 000005
【図５】
0004486051.tif 000006
【図６】
0004486051.tif 000007
【図７】
0004486051.tif 000008
【図８】
0004486051.tif 000009
【図９】
0004486051.tif 000010
【図１０】
0004486051.tif 000011
【図１１】
0004486051.tif 000012
【図１２】
0004486051.tif 000013
【図１３】
0004486051.tif 000014
【図１４】
0004486051.tif 000015
【図１５】
0004486051.tif 000016
【図１６】
0004486051.tif 000017
【図１７】
0004486051.tif 000018
【図１８】
0004486051.tif 000019